(57)【特許請求の範囲】
【請求項１】
デジタル多チャンネル放送の音楽番組をカラオケ装置で受信再生するとともに音楽に同期して色変わりする歌詞字幕を表示する方法であって、
カラオケ装置は、各楽曲の伴奏音楽データと歌詞描出データを楽曲ＩＤに対応付けして格納した記憶手段を備え、
歌詞描出データは、伴奏音楽データにより演奏されるカラオケ伴奏音楽に同期して色変わりする歌詞字幕を表示するための時系列データであり、
放送局は、ある楽曲（ア）を放送する際に、楽曲（ア）の音声データに多重化して楽曲ＩＤ（イ）と演奏進捗データ（ウ）を繰り返し送出し、
楽曲ＩＤ（イ）は、カラオケ装置における楽曲（ア）を特定し、
演奏進捗データ（ウ）は、楽曲（ア）の放送中の時点が楽曲（ア）の歌詞描出データの時間軸上のどの時点に該当するのかを表すデータであり、
カラオケ装置は、放送中の楽曲（ア）の音声データ・楽曲ＩＤ（イ）・演奏進捗データ（ウ）を受信しつつ、楽曲（ア）の音声データを再生出力するとともに、楽曲ＩＤ（イ）に該当する歌詞描出データを記憶手段から読み出し、当該歌詞描出データと演奏進捗データ（ウ）とに基づいて放送中の音楽に同期して色変わりする歌詞字幕を表示する
方法。
【請求項２】
デジタル多チャンネル放送の音楽番組をカラオケ装置で受信再生するとともに音楽に同期して色変わりする歌詞字幕を表示する方法であって、
カラオケ装置は、各楽曲の伴奏音楽データと歌詞描出データと時間軸補正データを楽曲ＩＤに対応付けして格納した記憶手段を備え、
歌詞描出データは、伴奏音楽データにより演奏されるカラオケ伴奏音楽に同期して色変わりする歌詞字幕を表示するための時系列データであり、
放送局は、ある楽曲（カ）を放送する際に、楽曲（カ）の音声データに多重化して楽曲ＩＤ（キ）と演奏進捗データ（ク）を繰り返し送出し、
楽曲ＩＤ（キ）は、カラオケ装置における楽曲（カ）を特定し、
演奏進捗データ（ク）は、楽曲（カ）の放送開始からの経過時間に対応したデータであり、
楽曲ＩＤ（キ）に該当する時間軸補正データは、演奏進捗データ（ク）に基づいて楽曲ＩＤ（キ）に該当する歌詞描出データの時間軸上の時点を求めるための補正計算用のデータであり、
カラオケ装置は、放送中の楽曲（カ）の音声データ・楽曲ＩＤ（キ）・演奏進捗データ（ク）を受信しつつ、楽曲（カ）の音声データを再生出力するとともに、楽曲ＩＤ（キ）に該当する歌詞描出データと時間軸補正データを記憶手段から読み出し、当該歌詞描出データと時間軸補正データと演奏進捗データ（ク）とに基づいて放送中の音楽に同期して色変わりする歌詞字幕を表示する
方法。
【発明の詳細な説明】
【０００１】
【発明の属する技術分野】
本発明は、デジタル多チャンネル放送における音楽番組の配信方法およびこの放送を受信するカラオケ装置に関するものであり、より具体的には音楽番組の番組楽曲の演奏とカラオケ楽曲の歌詞画像を同期させるための配信方法およびカラオケ装置に関する。
【０００２】
【従来の技術】
現在、デジタル多チャンネル放送として、通信衛星（以下、ＣＳ）を中継局としたＣＳデジタル多チャンネル放送システムが稼働している。このシステムで放送される番組はＭＰＥＧ２で規定されたデータ符号化圧縮方法によってデジタルデータに変換されている。番組には映像データや音声データのほかに、時間や文字などの各種データが必要に応じて付加される。これらのデータ群は時間軸多重されて１番組分のビットストリームが得られる。さらに、複数の番組を束ねてチャンネル多重することで、一つのトランスポンダ当たり４〜８チャンネル程度のＴＶ番組を配信することができる。従って、一つのＣＳでＴＶ番組とラジオ番組をそれぞれ１００チャンネル以上同時に配信することができる。
これらのチャンネルの中には、音楽専門チャンネルも数多く存在する。音楽専門チャンネルにおける放送内容としては、コンサートやＢＧＭさらにカラオケなどがあり、これらがジャンル毎に別チャンネルで放送されるなどして、多種多様な視聴者の要望に多角的に対応している。
【０００３】
このようなＣＳデジタル多チャンネル放送を受信して番組の映像や音声を再生するためにＩＲＤ（統合受信復号装置）が用意されている。ＩＲＤはパラボラアンテナなどが捕らえた放送電波中の放送データを処理することで、番組の映像信号や音声信号を再生する。番組の映像や音声はＩＲＤの音声／映像出力部に接続されたオーディオビジュアル（ＡＶ）機器によって出力される。
【０００４】
このように、ＣＳデジタル多チャンネル放送は、ＩＲＤをＡＶ機器に接続するだけで簡単に試聴することができることから、カラオケ会場などにおいて、リクエスト楽曲の演奏と演奏の合間などの休止期間にＣＳデジタル多チャンネル放送の番組楽曲をＢＧＭとしてカラオケ装置のスピーカやディスプレイ装置などから出力することができる。
【０００５】
さらに、カラオケ装置はカラオケデータから生成されるカラオケ楽曲の伴奏音楽と歌詞画像を同期してスピーカとディスプレイに出力する。このことから、カラオケデータ中の歌詞描出データをＣＳデジタル多チャンネル放送の番組音楽の歌詞表示にも利用することが当然考えられる。しかも、通信カラオケシステムなどでは、カラオケデータはＭＩＤＩデータなどコンパクトなデータであり、電話回線を介して多数の楽曲を短時間でカラオケ装置に転送することができる。カラオケ利用者の増加や多様化とも相俟って、歌詞の付いている楽曲のほとんど全てがカラオケ楽曲として用意されていると言っても過言ではない。従って、番組楽曲に歌詞をつけて表示することができれば、カラオケ楽曲の演奏が休止中であっても、番組楽曲の歌詞を覚えたり、番組楽曲でカラオケを楽しむことも可能となる。
【０００６】
【発明が解決しようとする課題】
しかしながら、番組楽曲とカラオケ楽曲の演奏は完全に同一ではなく、前奏や間奏の時間はもちろん、歌唱パートにおいても演奏の進度が微妙に食い違っている場合がほとんどである。従って、番組楽曲の開始に合わせて歌詞の描出をスタートさせても番組楽曲と歌詞画像がすぐに食い違ってしまい、歌詞表示の効果が全くない。さらに、カラオケ楽曲の演奏休止時間に番組楽曲を出力しようとした場合、休止時間の始まりに合わせて番組楽曲が丁度よく開始することなど到底あり得ない。
【０００７】
そこで、本発明はデジタル多チャンネル放送における音楽番組で放送される番組楽曲とカラオケ装置で生成される歌詞画像を同期してディスプレイに出力することができる音楽番組の配信方法と、この音楽番組を受信するためのカラオケ装置を提供することを目的としている。
【０００８】
【課題を解決するための手段】
第１発明は、便宜的に分説すると、つぎの事項（11）〜（17）により特定される方法発明である。
（11）デジタル多チャンネル放送の音楽番組をカラオケ装置で受信再生するとともに音楽に同期して色変わりする歌詞字幕を表示する方法であること
（12）カラオケ装置は、各楽曲の伴奏音楽データと歌詞描出データを楽曲ＩＤに対応付けして格納した記憶手段を備えること
（13）歌詞描出データは、伴奏音楽データにより演奏されるカラオケ伴奏音楽に同期して色変わりする歌詞字幕を表示するための時系列データであること
（14）放送局は、ある楽曲（ア）を放送する際に、楽曲（ア）の音声データに多重化して楽曲ＩＤ（イ）と演奏進捗データ（ウ）を繰り返し送出すること
（15）楽曲ＩＤ（イ）は、カラオケ装置における楽曲（ア）を特定すること
（16）演奏進捗データ（ウ）は、楽曲（ア）の放送中の時点が楽曲（ア）の歌詞描出データの時間軸上のどの時点に該当するのかを表すデータであること
（17）カラオケ装置は、放送中の楽曲（ア）の音声データ・楽曲ＩＤ（イ）・演奏進捗データ（ウ）を受信しつつ、楽曲（ア）の音声データを再生出力するとともに、楽曲ＩＤ（イ）に該当する歌詞描出データを記憶手段から読み出し、当該歌詞描出データと演奏進捗データ（ウ）とに基づいて放送中の音楽に同期して色変わりする歌詞字幕を表示すること
【０００９】
第２発明は、便宜的に分説すると、つぎの事項（21）〜（28）により特定される方法発明である。
（21）デジタル多チャンネル放送の音楽番組をカラオケ装置で受信再生するとともに音楽に同期して色変わりする歌詞字幕を表示する方法であること
（22）カラオケ装置は、各楽曲の伴奏音楽データと歌詞描出データと時間軸補正データを楽曲ＩＤに対応付けして格納した記憶手段を備えること
（23）歌詞描出データは、伴奏音楽データにより演奏されるカラオケ伴奏音楽に同期して色変わりする歌詞字幕を表示するための時系列データであること
（24）放送局は、ある楽曲（カ）を放送する際に、楽曲（カ）の音声データに多重化して楽曲ＩＤ（キ）と演奏進捗データ（ク）を繰り返し送出すること
（25）楽曲ＩＤ（キ）は、カラオケ装置における楽曲（カ）を特定すること
（26）演奏進捗データ（ク）は、楽曲（カ）の放送開始からの経過時間に対応したデータであること
（27）楽曲ＩＤ（キ）に該当する時間軸補正データは、演奏進捗データ（ク）に基づいて楽曲ＩＤ（キ）に該当する歌詞描出データの時間軸上の時点を求めるための補正計算用のデータであること
（28）カラオケ装置は、放送中の楽曲（カ）の音声データ・楽曲ＩＤ（キ）・演奏進捗データ（ク）を受信しつつ、楽曲（カ）の音声データを再生出力するとともに、楽曲ＩＤ（キ）に該当する歌詞描出データと時間軸補正データを記憶手段から読み出し、当該歌詞描出データと時間軸補正データと演奏進捗データ（ク）とに基づいて放送中の音楽に同期して色変わりする歌詞字幕を表示すること
【００２４】
【発明の実施の形態】
＝＝＝デジタル多チャンネル放送システム＝＝＝
本発明における音楽番組配信方法とそれを受信するカラオケ装置を含むデジタル多チャンネル放送システムの一実施例として、ＣＳデジタル多チャンネル放送システムについて説明する。図１はその基本構成図であり、放送局１とＣＳ１０とカラオケ装置２０で構成されている。カラオケ装置２０はＣＳデジタル多チャンネル放送用の統合受信再生装置（ＩＲＤ）を内蔵した受信再生カラオケ装置２０となっている。受信再生カラオケ装置２０は、必要に応じて放送局１あるいはカラオケホスト局２００と電話回線を介してデータ通信を行えるようになっている。これらの基本構成は放送局１と受信再生カラオケ装置２０の関係については従来のＣＳデジタル多チャンネル放送システムに準じ、カラオケホスト局２００と受信再生カラオケ装置２０の関係については通信カラオケシステムに準じている。
【００２５】
＝＝＝放送される音楽番組のデータ構造＝＝＝
図２は本発明による配信方法によって配信される音楽番組において、番組楽曲の放送時に送出されるデータストリームの構成図を示している。データストリーム３００は１８８バイトの固定データ長を持つＴＳパケット３０１によって区切られている。このＴＳパケット３０１はパケットヘッダ部３０２とペイロード部３０３とから構成されている。パケットヘッダ部３０２にはパケットの同期符号や識別符号が含まれている。そして、ペイロード部３０３に各種データが格納されることでデータが多重される。このデータ多重方式はＭＰＥＧ２―Ｓｙｓｔｅｍｓ規格によって規定されており、現在のＣＳデジタル多チャンネル放送にも採用されている。したがって、この辺りの技術に関しての詳細な説明は必要ないであろう。
ペイロード部３０３には放送中の番組楽曲の音声信号をＭＰＥＧ２規格によって圧縮符号化した番組楽曲データ３０３ａのほかに、本実施例では、楽曲ＩＤ３０３ｂや演奏進捗データ３０３ｃが格納されている。楽曲ＩＤ３０３ｂは、放送中の番組楽曲を特定するための情報であり、後述するカラオケ装置においてリクエスト楽曲を指定するための楽曲ＩＤとも対応している。演奏進捗データ３０３ｃは、放送中の番組楽曲の演奏が開始された時点を基準とした時刻情報が記述されている。そして、これらのデータ３０３ａ〜ｃが格納されてたＴＳパケット３０１がデータストリーム３００中に適宜に配置されている。
楽曲ＩＤ３０３ｂおよび演奏進捗データ３０３ｃは、番組楽曲の音声信号をサンプリングするときのクロックパルスを一定数カウントする毎に時系列中に挿入させることで、一定の時間間隔でこの楽曲ＩＤ３０３ｂおよび演奏進捗データ３０３ｃが送出されるようになっている。本実施例ではその送出間隔を１／３０秒毎としてある。もちろん、楽曲ＩＤおよび演奏進捗データをそれぞれ違う時間間隔で送出してもよい。また、上述した音楽番組は音声のみのラジオ放送として説明したが、ＴＶ放送であってもよい。その場合は、ペイロード部３０３にＴＶ放送の映像に対応したＭＰＥＧ２ビデオデータが格納されたＴＳパケット３０１がデータストリーム３００中に適宜に挿入されることになる。
この音楽番組のデータストリーム３００には必要に応じてスクランブルデータが付加されたのち、他の複数のチャンネルで放送されている番組のデータストリームとチャンネル多重される。そして、ＱＰＳＫ変調を経て送出される。
【００２６】
＝＝＝受信再生カラオケ装置の構成＝＝＝
＜カラオケ楽曲の生成とＣＳデジタル多チャンネル放送の受信＞
このような方法で配信される音楽番組を受信するためにＣＳデジタル多チャンネル放送用のＩＲＤが組み込まれた受信再生カラオケ装置が用意されている。その受信再生カラオケ装置の構成を図３に示している。この受信再生カラオケ装置２０は通信カラオケシステムの端末でもあり、適宜な通信機会にモデム４４を介して電話回線１００に接続し、カラオケホスト局２００よりカラオケデータの配信を受ける。配信されたカラオケデータは中央制御部３０を介してハードディスク装置５０に蓄積される。中央制御部３０は、操作パネル３１やリモコン送信器３２からのリクエスト入力を操作制御部３３を介して受け取ると、適宜なカラオケデータをハードディスク５０より読み出して処理する。カラオケデータはＭＩＤＩ規格に準じたデータ形式を有し、シンセサイザ制御データや歌詞描出データなどを含んでいる。シンセサイザ制御データはシンセサイザ３４に転送され伴奏音楽が生成される。生成された伴奏音楽はミキシングアンプ３５でマイクロホン３６から入力された歌唱者の音声信号と混合されてスピーカ３７に出力される。
【００２７】
歌詞描出データは歌詞文字列、表示レイアウト、歌詞描出シーケンス、歌唱時機指示などの各種情報を含んでいる。中央制御部３０は歌詞描出シーケンスに従った歌詞画像（表示レイアウトや歌唱時機指示の表現情報が付加された歌詞文字列）を順次ビデオＲＡＭ３８に転送する。ビデオＲＡＭ３８内にビットマップ展開された歌詞画像は、映像制御部３９でビデオＣＤチェンジャ４１によって再生されたムード映像にスーパーインポーズされてディスプレイ４０に出力される。
【００２８】
一方、ＣＳデジタル多チャンネル放送を受信するためのＩＲＤ７０は中央制御部３０が適時に発行する動作指令を受けて動作する。パラボラアンテナ６０で捕らえられた放送電波は中間周波数（ＩＦ）信号に周波数変換されてＩＲＤ７０に導入される。このＩＦ信号から音楽番組のデータを復号する。復号された番組の音声信号は、中央制御部３０が音声切替部４２の信号入力をＩＲＤ７０側に切り替え制御することで、ミキシングアンプ３５を経てスピーカ３７より出力される。音楽番組がＴＶ放送である場合は、中央制御部３０が映像切替部４３の入力をＩＲＤ７０側に切り替え制御することによってＴＶ映像が映像制御部３９を介してディスプレイ４０に出力される。
【００２９】
＜ＩＲＤによる番組楽曲の復号／再生＞
図４はＩＲＤ７０の内部構成の概略を示している。この図に従ってＩＲＤ７０のＩＦ信号処理について説明する。ＩＲＤ制御部７１は内部にＣＰＵ、ＲＡＭ、ＲＯＭなどを含んだマイコンである。このＩＲＤ制御部７１と各構成部は制御バス７８およびデータバス７９によって適宜に接続されるている。また、ＩＲＤ制御部７１は内部の通信インタフェースを介して、受信再生カラオケ装置２０本体の中央制御部３０と制御信号やデータのやりとりも行う。なお、ＩＣカードインタフェース部７６にセットされたＩＣカード７７にはＣＳデジタル多チャンネル放送の試聴記録やスクランブル解除情報など課金システムおよびスクランブル解除システムに関連したデータが書き込まれている。そして、適宜な通信機会にモデム４４を介して放送局とデータ通信を行って記録内容の転送などを行う。
ＩＲＤ７０の各構成部はＩＲＤ制御部７１の制御に従って、次の経路でＩＦ信号処理を行う。選局部７２で音楽番組を放送している搬送波のＩＦ周波数に同調してＩＦ信号を取り出す。復調部７３はこのＩＦ信号をＱＰＳＫ復調して番組のデータストリームを取り出す。多重分離部７４では、必要に応じてスクランブルの解除処理を行うとともに、入力されたデータストリーム中からデータの種別毎にＴＳパケットを取り出して時系列順に並べる。これによって、データ種別毎のデータストリームが出力される。この多重分離部７４から出力されたデータストリームの内、楽曲ＩＤや演奏進捗データのデータストリームはデータバス７９へ送出されＩＲＤ制御部７１を介して中央制御部３０へ転送される。一方、番組楽曲データはＭＰＥＧ２デコード部７５に送出される。ここで番組の映像信号や音声信号が再生される。
【００３０】
以上は、通常のＣＳデジタル多チャンネル放送の受信再生制御であった。本実施例における受信再生カラオケ装置２０によれば、楽曲ＩＤや演奏進捗データを適宜に処理することで、ＩＲＤで再生された番組楽曲と歌詞描出データから生成される歌詞画像とを同期させてスピーカ３７とディスプレイ４０に出力する機能が備わっている。以下、この機能について説明する。
【００３１】
＝＝＝番組楽曲に歌詞画像を同期させる方法＝＝＝
＜時間軸補正データ＞
図５（Ａ）は、番組楽曲の演奏時系列に歌詞画像を同期させるために用意された時間軸補正データにおけるデータ構造の一例を示している。時間軸補正データは楽曲ＩＤなどを記述してあるヘッダ部と区間毎の時間比を記述した区間時間比情報とからなっている。区間時間比情報は、楽曲を適宜な区間に区切ったとき、楽曲ＩＤに対応する番組楽曲における区間毎の始まりと終わりの時刻情報と、この時刻情報から求められる番組楽曲における区間演奏時間に対するカラオケ楽曲におけるこの区間での演奏時間との時間比とを含んでいる。この例では１曲を３つの区間に区切り、それぞれが１００秒ずつの時間を有している。区間１〜３に対して、時間比がそれぞれ１．２、１．０、１．２に既定されている。区間１を例に採れば、時刻情報が０〜１００と記述され、時間比が１．２と記述されている。これは、番組楽曲ではこの区間１が１００秒で演奏されるところをカラオケ楽曲では１２０秒かかることを意味している。
図５（Ｂ）に（Ａ）に示した時間軸補正データに基づいて、番組楽曲とカラオケ楽曲を比較したときの演奏時系列を示した。ある楽曲が番組楽曲として演奏されるときは３００秒の演奏時間であるのに対し、カラオケ楽曲として演奏するときは３４０秒かかることがわかる。次に、この時間軸補正データと演奏進捗データに基づいて番組楽曲と歌詞画像を同期させる方法を説明する。
【００３２】
＜歌詞画像同期制御＞
音楽番組の放送データを受信すると、ＩＲＤ７０の多重分離部７４が多重データから演奏進捗データと楽曲ＩＤを抽出する。そして、これらのデータは、受信再生カラオケ装置本体の中央制御部３０に送られる。中央制御部３０は楽曲ＩＤに基づいて、対応するカラオケデータ中の歌詞描出データと、対応する時間軸補正データとをハードディスク装置５０より読み出す。演奏進捗データに記された時刻から番組楽曲における演奏場所をカラオケ楽曲における演奏開始時点からの経過時間に当てはめる。図５における楽曲を例に採って説明すると、受信時における演奏進捗情報には５０秒という時刻が記されてあったとする。この時刻は区間１に在る。従って、カラオケ楽曲では５０秒×１．２＝６０秒の時点が対応していることがわかる。中央制御部３０がカラオケ楽曲における６０秒経過時の歌詞描出データをビデオＲＡＭに転送すれば受信時における番組音楽の演奏状況に合致した歌詞画像がディスプレイに出力される。
受信時に描出すべき歌詞画像が特定された後は、番組楽曲の演奏に同期させるように歌詞描出シーケンス（色換えなどの歌唱時機指示の時刻や文字列の表示／消去時刻）を補正する。つまり、区間１では演奏進捗データの受信毎に取得する時刻に１．２を掛けた時間を歌詞描出シーケンスの時間軸に置き換える。演奏進捗データの送出時間間隔は、歌詞画像をディスプレイに出力するときのフレーム周期である１／３０秒に一致しているので、この補正された時間軸上の時系列に従った歌詞描出データを順次ビデオＲＡＭに転送するだけで番組楽曲に同期した歌詞画像が出力される。
【００３３】
＝＝＝その他の実施例など＝＝＝
上記実施例では放送データ中の演奏進捗データと受信再生カラオケ装置側に格納されている時間軸補正データに基づいて歌詞描出シーケンスを補正している。そして、この補正された歌詞描出シーケンスに従った時系列で歌詞画像を生成することで番組音楽と歌詞画像を同期させている。このような方法とせず、演奏進捗データにカラオケ楽曲における演奏時刻（カラオケ楽曲の演奏開始時点を基準とした時間）を記述する方法を採用してもよい。この場合、中央制御部がこの演奏進捗データを受け取って、そこに記述された時刻に該当する歌詞描出データをビデオＲＡＭに送出する。従って、時間軸補正データを用意する必要はない。
【００３４】
また、カラオケ楽曲の演奏と演奏の合間など、受信再生カラオケ装置がカラオケ楽曲の生成処理が休止しているときにＩＲＤによって再生されて番組楽曲をスピーカに出力するようにも変更が可能である。この場合、中央制御部はカラオケデータの転送休止時など楽曲の生成処理が休止状態であることを検知すると、音声切替部をＩＲＤからの音声信号を入力するように切り替え制御して伴奏音楽の音声信号をミキシングアンプに入力させる。音楽番組がＴＶ放送であるときは音声切替部の切り替え制御に加えて、映像切替部の入力をＩＲＤ側に切り替え制御する。これによって、カラオケ楽曲の演奏休止時間に連動して番組楽曲を出力することができる。
【００３５】
【発明の効果】
本発明によれば、デジタル多チャンネル放送システムにおける音楽番組において、番組楽曲データに楽曲ＩＤと演奏進捗データを多重して放送することで、番組楽曲の演奏に同期した歌詞画像をカラオケ装置のディスプレイに出力する音楽番組配信方法を提供することができる。しかも、データ多重方式を含む音楽番組の配信方法は、現在のＣＳデジタル多チャンネル放送で規格化されているシステムをそのまま流用することができる。そのため、特別なデータ多重装置やエンコーダを必要しない。従って、放送に余分な経費が掛からい。翻って、視聴者（カラオケ利用者）に視聴料（カラオケ利用料）の増額など経済的な負担を強いることがない。
【００３６】
この音楽番組配信方法によって配信された番組楽曲の多重データを受信して処理するカラオケ装置は、従来のカラオケ装置にデジタル多チャンネル放送用のＩＲＤと同様のデジタル多チャンネル放送データ処理系統と、この処理系統で多重分離された楽曲ＩＤと演奏進捗データを処理するためのソフトウエア（データやプログラム）を付加するだけで番組楽曲と歌詞画像を同期してディスプレイに出力することが可能となる。しかも、放送途中の番組楽曲を受信したときでも途中からの歌詞画像を出力することができる。
【００３７】
また、演奏進捗データには番組楽曲の演奏時刻を記述しても、カラオケ楽曲の演奏時刻を記述してもよく、放送事業者の都合に応じて適宜変更できる。カラオケ装置側では時間軸補正データをデータ通信などによりハードディスク装置などに追加格納したり、プログラムを変更したりするだけで演奏進捗データがどちらの形式で放送されても柔軟に対応することができる。
【００３８】
番組楽曲の出力をカラオケ楽曲における演奏休止期間に連動させることによって、カラオケ利用者がカラオケ演奏の休止時間にもカラオケを楽しんだり、楽曲の歌詞を覚えたりすることができる。番組楽曲にボーカルが入っている場合には、模範的な歌唱状態を歌詞付きで覚えることもできる。
【図面の簡単な説明】
【図１】本発明の実施例におけるデジタル多チャンネル放送システムの構成図である。
【図２】上記実施例において配信される多重データの構造図である。
【図３】本発明の実施例における受信再生カラオケ装置の構成図である。
【図４】上記受信再生カラオケ装置におけるＩＲＤの構成図である。
【図５】（Ａ）は本発明の実施例における時間軸補正データの構造図の一例を示し、（Ｂ）は（Ａ）に図示した時間軸補正データに基づいて、番組楽曲とカラオケ楽曲を比較したときの演奏時系列を示した。
【符号の説明】
１  放送局
２０  受信再生カラオケ装置
３０  中央制御部
５０  ハードディスク装置
７０  ＩＲＤ
【図１】
0004108786.tif 000002
【図２】
0004108786.tif 000003
【図３】
0004108786.tif 000004
【図４】
0004108786.tif 000005
【図５】
0004108786.tif 000006